(57)【要約】上下方向に延びる中心軸線Ｏ−Ｏを有し、胴部（６）を有する熱可塑性合成樹脂製容器であって、前記胴部（６）が、前記中心軸線Ｏ−Ｏに対して対称に配置された左側面（８）と右側面（９）とを有し、該左側面（８）と右側面（９）との各々には、容器内圧の変化に対応する歪吸収領域（１０），（１１）が形成されており、前記歪吸収領域（１０），（１１）の各々には、グリップ部分（１４），（１５）が形成されており、前記グリップ部分（１４），（１５）の各々は、左側面（８）又は右側面（９）の中央域を含み、前記歪吸収領域（１０），（１１）よりも狭い面積を有し、前記歪領域よりも深い深さを有している。上記構成を採用することにより、大容量で重いボトルを、手指及び手掌の全体を使って大人が確実かつ安全に把持することができる。更に、内容液充填の前後における胴部周壁の歪変形の吸収、消去機能を損ねることがない。
2002081313.tif 000002
【特許請求の範囲】
【請求項１】
上下方向に延びる中心軸線を有し、胴部を有する熱可塑性合成樹脂製容器であって、
前記胴部が、前記中心軸線に対して対称に配置された左側面と右側面とを有し、
該左側面と右側面との各々には、容器内圧の変化に対応する歪吸収領域が形成されており、
前記歪吸収領域の各々には、グリップ部分が形成されており、
前記グリップ部分の各々は、左側面又は右側面の中央域を含み、前記歪吸収領域よりも狭い面積を有し、前記歪吸収領域よりも深い深さを有している。
【請求項２】
前記グリップ部分の各々が、前記歪吸収領域の面積の２５％以下の面積を有する、請求の範囲１に記載の容器。
【請求項３】
前記グリップ部分の各々には、縦方向の複数の補強リブが形成されている、請求の範囲１，２又は３に記載の容器。
【発明の詳細な説明】
発  明  の  背  景
本発明は、熱可塑性合成樹脂製のブロー成形ボトルに関し、更に詳細には、グリップを有するボトルに関する。
熱可塑性合成樹脂のブロー成形ボトルとしては、胴部側面に把持用ハンドルを突設したものが知られている。更に、アメリカ特許第５３９２９３７号には、胴部を有するブロー成形ボトルであって、胴部が左側面と右側面と背面とを有し、胴部が中心線を有し、前記左右側面の各々における前記中心線から背面側に片寄った部位に手指によるグリップ部分が形成されたものが開示されている。
この種のブロー成形ボトルでは、大容量（例えば内容量約２リットル）となると、内容液充填前後における内圧の増減による胴部周壁の変形を防止する必要がある。従って、該周壁に、歪み吸収のための領域と、該領域の補強リブとを形成する必要がある。ボトルは、背面からグリップされる。従って、前記グリップ部分は、必然的に、よりいっそう背面側に位置することとなる。このため、手指によるボトルの把持が、グリップ部分において背面寄り位置で行われることとなる。加えて、手掌部がグリップ部分の背面側の縁部に位置することとなるため、容器の把持が、指の力のみで行われる傾向となる。大容量で重い容器を把持した場合、不測の滑落を生ずる問題がある。
発  明  の  概  要
本発明によれば、上下方向に延びる中心軸線を有し、胴部を有する熱可塑性合成樹脂製容器であって、前記胴部が、前記中心軸線に対して対称に配置された左側面と右側面とを有し、該左側面と右側面との各々には、容器内圧の変化に対応する歪吸収領域が形成されており、前記歪吸収領域の各々には、グリップ部分が形成されており、前記グリップ部分の各々は、左側面又は右側面の中央域を含み、前記歪吸収領域よりも狭い面積を有し、前記歪吸収領域よりも深い深さを有している、容器が提供される。
好ましくは、前記グリップ部分の各々が、前記歪吸収領域の面積の２５％以下の面積を有する。好ましくは、前記グリップ部分の各々が、前記歪吸収領域の深さよりも深い深さを有する。前記グリップ部分の各々には、縦方向の複数の補強リブが形成されていてもよい。
本発明は上述の構成を有するので、大容量で重いボトルを、手指及び手掌の全体を使って大人が確実かつ安全にグリップすることができる。更に、内容液充填の前後における胴部周壁の歪変形の吸収、消去機能を損ねることがない。
発明の実施の形態
図１ないし図４は、本発明の好ましい実施の一例である、２リットル内容積を有する、ポリエチレンテレフタレート製ボトルを示す。本発明は、ポリエチレンテレフタレート以外の合成樹脂によるボトルにも適用可能である。
図示例のボトル１は、横断面長円形の筒形状を有するが、横断面が多角形状、長角形状であってもよい。
ボトル１は、短円筒形状の口頸部２と、口頸部２から徐々に拡径し下方に延びる上肩部３と、上肩部３から下方に延びる中肩部４と、縮径部５と、胴部本体６と、胴部本体６の下端に底部７とよりなる。底部７は、公知技術により形成されている。
ボトル１は、上下方向に延びる中心線Ｏ−Ｏを有している。胴部本体６は、正面１８（図１に示される）と、背面１９（図２に示される）と、左側面８と、右側面９とを有す。左側面８と右側面９とは、前記中心線Ｏ−Ｏに対して対称に配置されている。側面８，９の各々には、歪吸収領域１０，１１が凹陥して形成されている。周知のごとく、ボトル１内に加熱された内容物（液体等）が充填される際に、密封状態での充填の前後における内圧の変化によって胴部本体６が歪変形する。歪吸収領域１０，１１の各々は、かかる歪変形を吸収し、外形変形を目立たなくさせる。
本発明においては、該歪吸収領域１０，１１の各々に、前記中心線Ｏ−Ｏに対応する中央域１２，１３に、グリップ部分１４，１５が形成されている。すなわち、グリップ部分１４，１５の各々は、歪吸収領域１０，１１のほぼ中央に配置されている。グリップ部分１４，１５の各々は、歪吸収領域１０，１１よりも狭い面積を有し、歪吸収領域１０，１１の凹陥深さよりも深く凹陥している。
グリップ部分１４，１５の各々は、好ましくは歪吸収領域１０，１１の面積の２５％以下の面積を有する。グリップ部分１４，１５の各々が、歪吸収領域１０，１１の面積の２５％以下の面積を有することによって、よりグリップし易くなる。図示実施例においては、グリップ部分１４，１５の各々は、歪吸収領域１０，１１の面積の２０％の面積を有する。
グリップ部分１４，１５の各々は、歪吸収領域１０，１１の凹陥深さＤＡよりも深い、凹陥深さＤＢを有する。
グリップ部分１４，１５の各々には、縦方向に延びる突条リブ１６，１７が形成されている。突条リブ１６，１７の各々は、グリップ時の滑りを防止し、グリップ部分１４，１５の歪変形防止の機能を向上させる。
胴部本体６の背面１９の幅Ｗ（図４）は、９０ｍｍ以下であることが好ましい。該幅Ｗが９０ｍｍ以上あると、ボトルを握り難くなる。
胴部本体６の正面１８と背面１９との各々には、凹条２０，２１が形成されている。図示実施例においては、正面１８，背面１９の各々に、５本の凹条２０，２１が平行に配置されている。凹条２０，２１は、補強リブであって、内容液充填時の前後における、正面１８及び背面１９の歪変形を防止する。補強リブは、凸条であってもよい。正面又は背面にラベルを貼着けることを考慮すると、凹条が好ましい。
底部７には、背面１９の下方に、凹陥部２２が形成されている。凹陥部２２は、ボトル１の整列搬送時における位置規正を行う。
歪吸収領域１０，１１の各々は、周囲に稜線２３，２４を有する。グリップ部分１４，１５の各々は、首位に稜線２５，２６を有する。稜線２３，２４，２５，２６は、歪吸収領域１０，１１全体の歪変形に対向する、強度を向上させる機能を発現する。
図４においては、ボトル１の肉厚を誇張して厚く描いているので、発明の理解に際しては、肉厚が薄いものと理解されたい。
【図面の簡単な説明】
図１は、本発明の実施の一例を示す正面図である。
図２は、図１に示した例の背面図である。
図３は、図１に示した例の左側面図である。
図４は、図３中Ａ−Ａ線切断端面図であり、ボトルの肉厚を拡大図示している。
【図１】
2002081313.tif 000003
【図２】
2002081313.tif 000004
【図３】
2002081313.tif 000005
【図４】
2002081313.tif 000006
【国際調査報告】
2002081313.tif 000007
2002081313.tif 000008
2002081313.tif 000009